(57)【要約】【課題】天井等に吊下げた看板本体の位置調整を簡単に行うことができ、また、看板本体の外面側の角部に亀裂が入って美観を損なうことのないようにした空間区画用吊下げ看板を提供することにある。【解決手段】外周に角部１３を有する所定形状の枠体２並びに上記枠体２の少なくとも外周部をボード４で覆ってなる看板部１０からなる看板本体１１と、看板本体１１内の上記枠体２に下端部を移動可能に係合させるとともに上端部を建物の天井板、梁または支持部材に係止する吊下げ係止部３とからなる。【選択図】  図１
2007010967.tif 000002
【特許請求の範囲】
【請求項１】
外周に角部を有する所定形状の枠体並びに上記枠体の少なくとも外周部をボードで覆ってなる看板部からなる看板本体と、看板本体内の上記枠体に下端部を移動可能に係合させるとともに上端部を建物の天井板、梁または支持部材に係止する吊下げ係止部とからなる空間区画用吊下げ看板。
【請求項２】
少なくとも外周部をボードで所定形状に囲繞形成した看板部および前記看板部内の長手方向に沿って設けた移動案内部材を備えてなる看板本体と、この移動案内部材に下端部を移動可能に係合させるとともに上端部を建物の天井板、梁または支持部材に係止する吊下げ係止部とからなる空間区画用吊下げ看板。
【請求項３】
看板本体は底部を開口してあり、この看板本体内に照明器具を備えてなる請求項１または２記載の空間区画用吊下げ看板。
【請求項４】
上記空間区画用吊下げ看板において、看板部は不燃性ボードによって形成され、看板部の角部の箇所は、上記不燃性ボードの外面側が繋がるようにして内側から切り欠き部が形成してあり、上記切り欠き部の箇所から上記ボードを内側に折り曲げて、上記角部を形成するようにした請求項１、２または３記載の空間区画用吊下げ看板。
【請求項５】
看板部の角部の箇所は、接合させる各ボードの側端を所定の角度に形成し、各ボードの上記側端に接着剤を塗布して、接合させる各ボードの側端を接着させて形成されている請求項１、２または３記載の空間区画用吊下げ看板。
【発明の詳細な説明】
【技術分野】
【０００１】
本発明は、各種の催し物会場や展示販売会場、多数の専門店が出店するショッピングビルや、デパートの売り場等において、各ブースや店舗を区画するために天井板や支持部材等に吊下げて空中で空間を仕切るための空間区画用吊下げ看板に関する。
【背景技術】
【０００２】
従来から各種の催し物会場や展示販売会場等では、隣のブースや店舗との空間を間仕切りするために、天井からパネルを吊下げて間仕切りしたり、床面にパネルを立てて間仕切りしたりしている。たとえば、特許文献１、２には、床面と天井 の間にパネルを設けて、屋内の空間を区画する間仕切りの手法が記載されている。
【０００３】
また、別の従来例としては、ベニヤ板や角材等の木材を用いて所定形状の看板本体を形成し、この看板本体の外面に塗装やクロスシートを貼り付けて外面仕上げを施し、この外面に会社名やロゴマーク、キャッチフレーズ等を記載したりシールを貼ったりして看板本体を仕上げ、このようにして仕上げた複数の看板本体を天井からワイヤーによって一列に吊り下げ、屋内の空間を区画する間仕切り看板も提案されている。
【０００４】
しかしながら、この間仕切り看板の場合、ワイヤーの下端部を看板本体に固定した構成であったため、設置時に天井板にワイヤーの上端部を固定して看板本体を天井板から吊下げた場合、隣どうしの看板本体の間で隙間が生じたときに、再びワイヤーの上端部を天井板から取り外して付け替えねばならず、その作業は煩わしくて大変であった。
【０００５】
また、この間仕切り看板の場合は、ベニヤ板や角材等の木材によって看板本体を組み立て、その外面に紙を貼り付けて仕上げたものであるため、屋内の天井寄りに吊下げて設置した場合、クーラー等の風が看板本体に当たり、このことが長いものであるので捩れや反りを生じ、また木材と紙との収縮率の違いから看板本体の角部等の木材のつなぎ目の箇所で、紙に裂け目が生じてしまう。このことは、看板としての美観を損ねてしまう要因となっていた。
【０００６】
さらに、前記の間仕切り看板の看板本体は、紙と木材で形成されたものであったため、燃えやすいといった問題があった。また、木材等で形成された看板本体は重く取り付け等の作業においてその取り扱いが大変であり、材料費も高いといった問題があった。
【０００７】
また、木材等によって形成した看板本体の場合、その角部は木材の端面が外に露出した構造になっているため、間仕切り看板としての美観を損ねていた。
【０００８】
【特許文献１】特開２０００−８７４７９号公報
【特許文献２】特開２００４−３２４３６８号公報
【発明の開示】
【発明が解決しようとする課題】
【０００９】
本発明は前記のような点に鑑みて開発されたものであり、その目的とするところは、天井板等に吊下げた看板本体の水平方向への位置調整を簡単に行うことができ、また、看板本体の外面側の角部に亀裂が入って美観を損ねてしまうといったことをなくし、さらに不燃性を有し、材料費等のコストを低減できる空間区画用吊下げ看板を提供することにある。
【課題を解決するための手段】
【００１０】
前記のような目的を有効に達成するために、請求項１記載の本発明の空間区画用吊下げ看板は、外周に角部を有する所定形状の枠体並びに上記枠体の少なくとも外周部をボードで覆ってなる看板部からなる看板本体と、看板本体内の上記枠体に下端部を移動可能に係合させるとともに上端部を建物の天井板、梁または支持部材に係止する吊下げ係止部とからなる構成にしてある。
【００１１】
請求項２記載の本発明の空間区画用吊下げ看板は、少なくとも外周部をボードで所定形状に囲繞形成した看板部および前記看板部内の長手方向に沿って設けた移動案内部材を備えてなる看板本体と、この移動案内部材に下端部を移動可能に係合させるとともに上端部を建物の天井板、梁または支持部材に係止する吊下げ係止部とからなる構成にしてある。
【００１２】
請求項３記載の本発明の空間区画用吊下げ看板は、請求項１または２記載の空間区画用吊下げ看板において、看板本体は底部を開口してあり、この看板本体内に照明器具を備えてなる構成にしてある。
【００１３】
請求項４記載の本発明の空間区画用吊下げ看板は、請求項１、２または３記載の空間区画用吊下げ看板において、上記空間区画用吊下げ看板において、看板部は不燃性ボードによって形成され、看板部の角部の箇所は、上記不燃性ボードの外面側が繋がるようにして内側から切り欠き部が形成してあり、上記切り欠き部の箇所から上記ボードを内側に折り曲げて、上記角部を形成するようにした構成にしてある。
【００１４】
請求項５記載の本発明の空間区画用吊下げ看板は、請求項１、２または３記載の空間区画用吊下げ看板において、看板部の角部の箇所は、接合させる各ボードの側端を所定の角度に形成し、各ボードの上記側端に接着剤を塗布して、接合させる各ボードの側端を接着させて形成されている構成にしてある。
【発明の効果】
【００１５】
前記のような構成の空間区画用吊下げ看板では、吊下げ係止部と看板本体とは移動可能に係合させてあるので、天井板等に吊下げた後も看板本体を押したり引いたりすることにより簡単に移動させることができる。そのため、看板本体の位置決め調整を容易に行うことができ、天井での障害物等をかわすことができ、また従来のように現場で看板本体を組み立てることもなく、設置する空間の間仕切り作業を短時間に簡単に行うことができる。
【００１６】
また、看板本体内に照明器具を備え、開口している底部から照明光を放つようにしてあるので、空間区画用の吊下げ看板としての機能とともにインテリア照明としての機能も併せ持つ看板として使用することができる。
【００１７】
また、不燃性ボードで囲繞形成される看板部の角部の箇所は、不燃性ボードの外面側が繋がるようにして内側から切り欠き部が形成してあり、この切り欠き部の箇所から上記ボードを内側に折り曲げて上記角部を形成したことにより、この箇所から割れを生じたりすることもなく、看板本体の美観を損ねることがない。さらに、看板部を不燃性ボードによって形成したことにより、不燃性を有し、また木材等では空調機等の風や温度変化によってひずみが生じやすかったが、このようなひずみも生じない。また、従来の材料費に比べ大幅に低減することができる。
【００１８】
また、看板部の角部の箇所は、接合させる各ボードの側端を所定の角度に形成し、各ボードの上記側端に接着剤を塗布して、接合させる各ボードの側端を接着させて形成されているので接着強度を増し、また各ボードの側端が外に露出することなく看板部を形成でき、木材等の端部が露出してざらざらした端面が外から見えて空間区画用吊下げ看板としての美観を損ねてしまうといったこともない。
【発明を実施するための最良の形態】
【００１９】
以下、本発明を実施するための最良の形態を図に基いて説明する。
図１〜図４は本発明に係る空間区画用吊下げ看板に関する図であって、図示の空間区画用吊下げ看板１は、枠体２および看板部１０からなる看板本体１１と、吊下げ係止部３とによって構成されている。なお、図１は２個の空間区画用吊下げ看板１の対峙する端部を当接させた状態を例示している。
【００２０】
前記の枠体２（図１、図３参照）は、アルミ材等の軽量金属材によって形成されたものであって、１対の角筒部材６と、１対の横断面コ状の繋ぎ部材７と、複数のねじ８からなり、所定間隔をもって長手方向に沿って対峙させた１対の角筒部材６の両端部９に、それぞれ前記横断面コ状の繋ぎ部材７を被せるようにはめ込み、ねじ８で連結固定して平面視で長方形に組み立てたものである。図示の例では後述する看板部１０には、２つの枠体２が上下に設けてある。勿論、枠体２は後述する看板部１０内の下部側に１つ設けた構成であってもよい。
【００２１】
看板本体１１は、１対の枠体２と、不燃性の石膏ボード４と、塗装またはクロスシート２５と、複数のねじ５とによって形成されている。すなわち、看板本体１１は、不燃性の石膏ボード４によって前記枠体２とほぼ同じ大きさの上部開口１２を有する有底直方体形状の看板部１０を形成し、内側の底部寄りに一方の枠体２を配し、複数のねじ５でこの枠体２を看板部１０の石膏ボード４に固定し、さらに他方の枠体２を上部開口１２寄りに配し、前記の底部側の枠体２と所定間隔（たとえば１２〜１３ｃｍ位）をもって対峙させて、複数のねじ５で看板部１０を形成する石膏ボード４に固定した構成である。
【００２２】
前記した看板部１０を形成する石膏ボード４は、予め定められた枠体２の各角部１３を覆う箇所に、図４に示すように外面側１４が少し繋がるようにして内側から９０度角度の切り欠き部１５を形成してある。そして切り欠き部１５の対峙する当接面１５ａには接着剤が塗布され、この切り欠き部１５から石膏ボード２を内側に直角に折り曲げて対峙する当接面１５ａを貼り合わせ、枠体２の角部１３を石膏ボード４の切り欠き部１５を形成した角部で覆う。また石膏ボード４の外側には、塗装を施すかまたはクロスシート２５が貼り付けてある。
【００２３】
また、前記の吊下げ係止部３（図１、図３参照）は、係合部材１６、ブラケット１９、ワイヤー固定具２０、ワイヤー２１、留めキャップ２２、係止軸２３、およびパイプやボルト（図示省略）からなる。
【００２４】
係合部材１６（図３参照）は、横断面Ｃ形の軽量金属型材であって、前記した看板本体１１内の上部側の枠体２の下面２ａに対し、両端部の上面１６ａを看板本体１１の長手方向に移動可能に係合させるものある。
【００２５】
ブラケット１９（図３参照）は、軽量金属型材であって、中央に貫通孔１８を有し前記係合部材１６の中央部の上面１６ｂにねじ１７で両下端面１９ａを固定するものである。
【００２６】
ワイヤー固定具２０（図３参照）は、看板本体１１を吊下げる適宜長さのワイヤー２１の下部を前記したブラケット１９に固定するものであって、ワイヤー２１を通す貫通孔（図示せず）を中央に有し上部に雄ねじを下部に雌ねじを有する固定具本体２０ａと、ワイヤー２１を通す穴を中央に有し前記ブラケット１９の中央の下面側から固定具本体２０ａの雌ねじにねじつける凸状の留め具２０ｂと、ワイヤー２１を通す穴を中央に有し固定具本体２０ａの雄ねじにねじつける固定具キャップ２０ｃとからなる。
【００２７】
また、留めキャップ２２（図１参照）は、合成樹脂によって形成されたものであり、中央に貫通孔を有する軸部２２ａとフランジ部２２ｂとからなり、建物の天井板２４（図２参照）、梁２４ａまたは支持部材２４ｂに形成した穴（図示せず）に軸部２２ａを挿入し、フランジ部２２ｂを天井板２４等の外面３０に当接させて、天井板２４等に取り付けるものである。
【００２８】
係止軸２３（図１参照）は、ワイヤー２１の輪状にした上端部の輪２６の中に挿入した適宜長さの金属軸材であり、前記した天井板２４等の穴（図示せず）から挿入し、看板本体１１をワイヤー２１で吊下げた際に天井板２４等の裏面に係止させるものである。
【００２９】
前記のような構成からなる空間区画用吊下げ看板１によって、たとえば、デパートや屋内展示・販売会場等において、各店舗やブース毎に屋内空間を区画する場合は、区画する境界線上の天井板２４の箇所に、前記ワイヤー２１の上端部の係止軸２３を天井板２４の裏側に挿入するための穴（図示省略）を適宜間隔をもって開けておく。
【００３０】
そして、各ワイヤー２１の係止軸２３を前記穴（図示省略）から天井板２４の中に挿入し、その後にこの穴（図示省略）をキャップ２２で封じる。吊下げる看板本体１１等の自重によって各ワイヤー２１には張力がかかり、天井板２４等の裏側に前記係止軸２３が係止されて看板本体１１は天井板２４の下方の空間に吊下げられる。
【００３１】
このようにして境界線に沿って図２に示すように順次空間区画用吊下げ看板１を天井板２４等に吊下げ、屋内の所定の空間を区画する。前記のようにして複数の空間区画用吊下げ看板１を天井板２４等に吊下げた後は、隣接する看板本体１１の端部１０ａどうしが接するように看板本体１１を少し押して水平移動させ当接させる。
【００３２】
看板本体１１は、吊下げ係止部３によって水平移動可能なように係合されているので、前記のような隣接する看板本体１１の端部１０ａどうしを当接させるといった位置調整も簡単に行うことができる。
【００３３】
また、看板本体１１の外側を構成する石膏ボード４は、前記したように内側から切り欠き部１５を入れて折り曲げて枠体２の角部１３を覆うようにしてあるので、クーラー等の空調機の風がこの箇所に当たっても、クロスシート２５等と切り欠き部１５とは直接接することがなく、石膏ボード４とクロスシート２５等とに収縮率の違いがあっても、前記角部１３を覆う切り欠き部１５の箇所の外側から亀裂が生じるといったことがない。それ故に看板本体１１の美観が損なわれることもない。また、看板本体１１の外面には会社名やキャッチフレーズやロゴマーク等を書いたり、会社名等を記載したシールを貼り付けて使用すればよい。
【００３４】
図５は本発明に係る他の例の空間区画用吊下げ看板１に関する斜視図である。なお、前記した例の構成と異なる箇所について説明し、その他の箇所には前記の例と同一符号を付して説明を省略する。この例においては、看板部１０の底部１０ｂは長方形状に開口されていて、この開口した底部１０ｂを覆うルーバー２９が取り付けてある。勿論、ルーバー２９に替えてネットや、透明や半透明のアクリル板等であってもよい。また、この看板部１０内には、蛍光灯等の照明器具２７が取り付けてある。
【００３５】
上記した看板部１０の開口した底部１０ｂにルーバー２９を取り付ける方法としては、看板部１０に直接、ねじ等でルーバー２９を取り付けてもよいし、或いは上記した枠体２を看板部１０内の下部に取り付け、この枠体２の内側に横断面Ｌ状の部材（図示省略）を取り付け、このＬ状部材の上にルーバー２９を載せて取り付けてもよい。
【００３６】
上記の看板部１０は、不燃性の石膏ボード４によって横長の中空な直方体形状に形成してある。各角部２８は、前記した例のように外面側１４（図４参照）が少し繋がるようにして内側から９０度の角度の切り欠き部１５を形成した構成、或いは図６に示すように接合する各石膏ボード４の端部４ａを長手方向に沿って４５度の角度に斜め形成し、この各石膏ボード４の端部４ａに接着剤を塗布して接着した構成でもよい。
【００３７】
上記した図５に示す本発明に係る空間区画用吊下げ看板１においても、先の例の空間区画用吊下げ看板１と同様の作用効果を有するとともに、インテリア照明としての機能も併せ持ち、人目を引き付ける効果を発揮することができる。
【００３８】
また、本発明の空間区画用吊下げ看板において、吊下げ係止部３（図３参照）の下端部を移動可能に係止する部材としては、前記した例の枠体２でもいいし、また看板部１０内の長手方向の両内面に平行にねじ等で取り付けた角材や丸棒等の真直ぐな部材（移動案内部材）であってもよい。
【００３９】
なお、本発明に係るボードは、不燃性を有していれば石膏ボードに限定されることなく
如何なる材質のボードであってもよい。
【００４０】
また、本発明に係る吊下げ係止部３においては、吊下げ部材として前記したようなワイヤー２１に限定されるものではなく、たとえばワイヤーに替えて図示省略するが長いパイプとこのパイプの中を通したボルトからなるものであってもよい。なお、このボルトの各端部は、看板本体１１と、天井板２４等とに係止できれば如何なる構造であってもよい。
【図面の簡単な説明】
【００４１】
【図１】本発明の空間区画用吊下げ看板の斜視図である。
【図２】本発明の空間区画用吊下げ看板を天井板等に吊下げた状態の説明図である。
【図３】本発明の空間区画用吊下げ看板の横断面図である。
【図４】（ａ）は石膏ボードに切り欠き部を形成した状態の説明図、（ｂ）は切り欠き部から石膏ボードを９０度に折り曲げた状態の説明図である。
【図５】本発明の他の例の空間区画用吊下げ看板の斜視図である。
【図６】（ａ）は石膏ボードの側端を４５度に切り欠きした説明図、（ｂ）は（ａ）は石膏ボードの側端を接着剤で接着した状態の説明図である。
【符号の説明】
【００４２】
１    空間区画用吊下げ看板。
２    枠体
３    吊下げ係止部
４    石膏ボード（ボード）
１０  看板部
１１  看板本体
１３  角部
２４  天井板（梁、支持部材）
２８  角部
【図１】
2007010967.tif 000003
【図２】
2007010967.tif 000004
【図３】
2007010967.tif 000005
【図４】
2007010967.tif 000006
【図５】
2007010967.tif 000007
【図６】
2007010967.tif 000008